(57)【要約】【課題】応答電波の受信が所定割合に達した場合にＩＣタグの読取操作を終了することが可能なＩＣタグ読取装置およびプログラムを提供することである。【解決手段】実施形態のＩＣタグ読取装置は、商品に付され前記商品の種類を特定する商品種類特定情報を記憶したＩＣタグに向けて電波を放射する第１放射手段と、少なくとも管理対象となる前記商品種類特定情報を記憶する第１記憶手段と、前記放射された電波に応答し前記ＩＣタグから送信された前記商品種類特定情報を受信する第１受信手段と、前記受信手段が、前記記憶した管理対象となるすべての商品種類特定情報を受信した場合に、前記電波の放射を終了させる第１放射終了手段と、を備える。【選択図】図４
2016038875.tif 000002
【特許請求の範囲】
【請求項１】
商品に付され前記商品の種類を特定する商品種類特定情報を記憶したＩＣタグに向けて電波を放射する第１放射手段と、
少なくとも管理対象となる前記商品種類特定情報を記憶する第１記憶手段と、
前記放射された電波に応答し前記ＩＣタグから送信された前記商品種類特定情報を受信する第１受信手段と、
前記受信手段が、前記記憶した管理対象となるすべての商品種類特定情報を受信した場合に、前記電波の放射を終了させる第１放射終了手段と、
を備えるＩＣタグ読取装置。
【請求項２】
商品に付されたＩＣタグであって、前記ＩＣタグを個々に識別するＩＣタグ識別情報を記憶した前記ＩＣタグに向けて電波を放射する第２放射手段と、
少なくとも管理対象となる前記ＩＣタグ識別情報を記憶する第２記憶手段と、
前記放射された電波に応答し前記ＩＣタグから送信された前記ＩＣタグ識別情報を受信する第２受信手段と、
前記受信手段が、前記記憶した管理対象となる前記ＩＣタグ識別情報のうち所定割合の前記ＩＣタグ識別情報を受信した場合に、前記電波の放射を終了させる第２放射終了手段と、
を備えるＩＣタグ読取装置。
【請求項３】
商品に付されたＩＣタグであって、前記商品の種類を特定する商品種類特定情報と前記ＩＣタグを個々に識別するＩＣタグ識別情報とを記憶した前記ＩＣタグに向けて電波を放射する第３放射手段と、
少なくとも管理対象となる前記商品種類特定情報と、当該商品種類特定情報に属する前記ＩＣタグ識別情報とを対応付けて記憶する第３記憶手段と、
前記放射された電波に応答し前記ＩＣタグから送信された前記商品種類特定情報と前記ＩＣタグ識別情報とを受信する第３受信手段と、
前記受信手段が、前記記憶した管理対象となるすべての商品種類特定情報を受信しかつ当該商品種類特定情報に対応付けて記憶した前記ＩＣタグ識別情報のうち所定割合の前記ＩＣタグ識別情報を受信した場合に、前記電波の放射を終了させる第３放射終了手段と、
を備えるＩＣタグ読取装置。
【請求項４】
前記第３記憶手段は、入力された棚段を特定する棚段情報に基づいて、当該棚段に陳列された商品の前記商品種類特定情報とＩＣタグ識別情報とを外部装置から受信して前記管理対象の商品種類特定情報とＩＣタグ識別情報として記憶する、
請求項３に記載のＩＣタグ読取装置。
【請求項５】
前記第３放射終了手段は、前記受信手段が前記管理対象のすべての商品種類特定情報および前記対応付けた前記ＩＣタグ識別情報のうち所定割合の前記ＩＣタグ識別情報を受信してから所定時間経過後に、前記電波の放射を終了する、
請求項３または４に記載のＩＣタグ読取装置。
【請求項６】
コンピュータを、
商品に付されたＩＣタグであって、前記商品の種類を特定する商品種類特定情報と前記ＩＣタグを個々に識別するＩＣタグ識別情報とを記憶したＩＣタグに向けて電波を放射する第３放射手段と、
少なくとも管理対象となる前記商品種類特定情報と、当該商品種類特定情報に属する前記ＩＣタグ識別情報とを対応付けて記憶する第３記憶手段と、
前記放射された電波に応答し前記ＩＣタグから送信された前記商品種類特定情報と前記ＩＣタグ識別情報とを受信する第３受信手段と、
前記受信手段が、前記記憶した管理対象となるすべての商品種類特定情報を受信しかつ当該商品種類特定情報に対応付けて記憶した前記ＩＣタグ識別情報のうち所定割合の前記ＩＣタグ識別情報を受信した場合に、前記電波の放射を終了させる第３放射終了手段と、
して機能させるためのプログラム。
【発明の詳細な説明】
【技術分野】
【０００１】
本発明の実施形態は、ＩＣタグ読取装置およびプログラムに関する。
【背景技術】
【０００２】
近年、衣料品店等の店舗において、店舗の運営者は、ＲＦＩＤ（Radio  Frequency  Identification）リーダを用いて、商品に付されたＩＣ（Integrated  Circuit）タグに記憶された商品情報等を読み取り、店舗における商品の在庫状況を管理する在庫管理や売れ筋商品を把握するロケーション管理等を行っている。
【０００３】
例えば、店舗の運営者は、アパレルショップ等の店舗でのロケーション管理において、ハンディタイプのＲＦＩＤリーダを棚に陳列されている衣類等の商品に付されているＩＣタグに向けて、情報読取用の電波を放射する。電波を受信したＩＣタグは、商品情報を含む応答電波をＲＦＩＤリーダに送信する。ＲＦＩＤリーダは、ＩＣタグからの応答電波を受信する。
【０００４】
ここで、ＲＦＩＤリーダは、陳列されているすべての商品のＩＣタグから応答電波を受信しないことがある。詳細には、商品に付されたＩＣタグの向きや、ＩＣタグを付した商品の材質等によって、ＩＣタグが、ＲＦＩＤリーダから放射された電波を受信できないことがある。このような場合、ＩＣタグは応答電波を送信できないため、ＲＦＩＤリーダは、ＩＣタグからの応答電波を受信できない。
【０００５】
このため、ロケーション管理では、ＲＦＩＤリーダの操作者は、全ＩＣタグのうちの所定割合（例えば９０％）のＩＣタグから応答電波を受信したと判断した場合に、ロケーション管理を終了するようにしている。
【０００６】
しかしながら、操作者は、陳列されている商品に付されたＩＣタグの数が正確に掌握できないため、ＲＦＩＤリーダによる応答電波の受信が所定割合に達したか否かの判断が容易にできないことがある。そのため、操作者は、必要以上の時間ＲＦＩＤリーダによるＩＣタグの読取操作を実施することがあった。
【発明の概要】
【発明が解決しようとする課題】
【０００７】
本発明が解決しようとする課題は、応答電波の受信が所定割合に達した場合にＩＣタグの読取操作を終了することが可能なＩＣタグ読取装置およびプログラムを提供することである。
【課題を解決するための手段】
【０００８】
実施形態のＩＣタグ読取装置は、商品に付され前記商品の種類を特定する商品種類特定情報を記憶したＩＣタグに向けて電波を放射する第１放射手段と、少なくとも管理対象となる前記商品種類特定情報を記憶する第１記憶手段と、前記放射された電波に応答し前記ＩＣタグから送信された前記商品種類特定情報を受信する第１受信手段と、前記受信手段が、前記記憶した管理対象となるすべての商品種類特定情報を受信した場合に、前記電波の放射を終了させる第１放射終了手段と、を備える。
【０００９】
実施形態のＩＣタグ読取装置は、商品に付されたＩＣタグであって、前記ＩＣタグを個々に識別するＩＣタグ識別情報を記憶した前記ＩＣタグに向けて電波を放射する第２放射手段と、少なくとも管理対象となる前記ＩＣタグ識別情報を記憶する第２記憶手段と、前記放射された電波に応答し前記ＩＣタグから送信された前記ＩＣタグ識別情報を受信する第２受信手段と、前記受信手段が、前記記憶した管理対象となる前記ＩＣタグ識別情報のうち所定割合の前記ＩＣタグ識別情報を受信した場合に、前記電波の放射を終了させる第２放射終了手段と、を備える。
【００１０】
実施形態のＩＣタグ読取装置は、商品に付されたＩＣタグであって、前記商品の種類を特定する商品種類特定情報と前記ＩＣタグを個々に識別するＩＣタグ識別情報とを記憶した前記ＩＣタグに向けて電波を放射する第３放射手段と、少なくとも管理対象となる前記商品種類特定情報と、当該商品種類特定情報に属する前記ＩＣタグ識別情報とを対応付けて記憶する第３記憶手段と、前記放射された電波に応答し前記ＩＣタグから送信された前記商品種類特定情報と前記ＩＣタグ識別情報とを受信する第３受信手段と、前記受信手段が、前記記憶した管理対象となるすべての商品種類特定情報を受信しかつ当該商品種類特定情報に対応付けて記憶した前記ＩＣタグ識別情報のうち所定割合の前記ＩＣタグ識別情報を受信した場合に、前記電波の放射を終了させる第３放射終了手段と、を備える。
【００１１】
実施形態のプログラムは、コンピュータを、商品に付されたＩＣタグであって、前記商品の種類を特定する商品種類特定情報と前記ＩＣタグを個々に識別するＩＣタグ識別情報とを記憶したＩＣタグに向けて電波を放射する第３放射手段と、少なくとも管理対象となる前記商品種類特定情報と、当該商品種類特定情報に属する前記ＩＣタグ識別情報とを対応付けて記憶する第３記憶手段と、前記放射された電波に応答し前記ＩＣタグから送信された前記商品種類特定情報と前記ＩＣタグ識別情報とを受信する第３受信手段と、前記受信手段が、前記記憶した管理対象となるすべての商品種類特定情報を受信しかつ当該商品種類特定情報に対応付けて記憶した前記ＩＣタグ識別情報のうち所定割合の前記ＩＣタグ識別情報を受信した場合に、前記電波の放射を終了させる第３放射終了手段と、して機能させる。
【図面の簡単な説明】
【００１２】
【図１】図１は、実施形態に係るシステム図である。
【図２】図２は、商品を陳列した棚を示す図である。
【図３】図３は、ＲＦＩＤ読取装置の外観を示す側面図である。
【図４】図４は、ＲＦＩＤ読取装置のハードウェア構成を示すブロック図である。
【図５】図５は、ＩＣタグのハードウェア構成を示すブロック図である。
【図６】図６は、ＩＣタグのメモリ構成の一部を示すメモリマップである。
【図７】図７は、ストアサーバのハードウェア構成を示すブロック図である。
【図８】図８は、棚マスタを示すメモリマップである。
【図９】図９は、ＲＦＩＤ読取装置の機能構成を示す機能ブロック図である。
【図１０】図１０は、ＲＦＩＤ読取装置の制御処理を示すフローチャートである。
【図１１】図１１は、ＲＦＩＤ読取装置の制御処理の一部を示すフローチャートである。
【図１２】図１２は、ＲＦＩＤ読取装置の制御処理の一部を示すフローチャートである。
【図１３】図１３は、ＲＦＩＤ読取装置の制御処理の一部を示すフローチャートである。
【図１４】図１４は、ストアサーバの制御処理の一部を示すフローチャートである。
【発明を実施するための形態】
【００１３】
以下、図１〜図１４を参照して、実施形態のＩＣタグ読取装置およびプログラムを詳細に説明する。なお、以下の実施形態では、ＩＣタグ読取装置としてハンディ型のＲＦＩＤリーダライタを用いて説明するが、以下に説明する実施形態によりこの発明が限定されるものではない。また、実施形態では、店舗の例として、衣類等を販売するアパレルショップの説明をするが、他の商品を販売する店舗であってもよい。
【００１４】
図１は、実施形態に係るシステム図である。図１において、衣料品を販売するアパレルショップの店舗Ｐには、複数個の棚Ｔとストアサーバ１０とが設置されている。各棚Ｔには、複数段の棚段が設けられている（図２を参照）。各棚Ｔには、店舗Ｐで販売する衣料品（以降「商品」という）が陳列されている。各商品には、それぞれ一つのＩＣ（Integrate  Circuit）タグが付されている。ＩＣタグは、商品と一体的に付されている。例えば、ＩＣタグは粘着剤で商品に貼付されている。また、例えば、ＩＣタグは、その全部または一部が商品に縫い付けられている。ＩＣタグは、付された商品の種類と商品の個々を特定する情報を記憶する。
【００１５】
また、店舗Ｐには、店舗で販売される商品の管理を実行するストアサーバ１０が設置されている。ストアサーバ１０は、店舗内に設置されたＰＯＳ（Point  of  Sale）端末（図示せず）で生成された、店舗で販売された商品の商品販売情報を収集して記憶する。また、ストアサーバ１０は、棚Ｔに商品を陳列した数とＰＯＳ端末で販売された商品数から、現在棚Ｔに陳列されている商品の数を管理する。
【００１６】
ハンディ型のＲＦＩＤ（Radio  Frequency  Identification）リーダライタ１は、棚Ｔに陳列された商品のＩＣタグの情報を読み取る（詳細は図３を参照）。
【００１７】
次に、図２を用いて、棚Ｔの詳細を説明する。図２において、実施形態では、棚Ｔは、上段部に棚段Ｔ１、中段部に棚段Ｔ２、下段部に棚段Ｔ３の３段の棚段を有している。各棚段はそれぞれ、棚タグ部ＴＢと商品Ｓを陳列する陳列部ＴＣとを有する。棚Ｔの上段部の棚タグ部ＴＢには、棚段タグＴＴ１が貼付されている。棚段タグＴＴ１は、対応する棚段が棚段Ｔ１であることを示す棚段コードを記憶している。棚Ｔの中段部の棚タグ部ＴＢには、棚段タグＴＴ２が貼付されている。棚段タグＴＴ２は、対応する棚段が棚段Ｔ２であることを示す棚段コードを記憶している。棚Ｔの下段部の棚タグ部ＴＢには、棚段タグＴＴ３が貼付されている。棚段タグＴＴ３は、対応する棚段が棚段Ｔ３であることを示す棚段コードを記憶している。
【００１８】
棚Ｔの陳列部ＴＣには、商品ＳがＳＫＵ（Stock  Keeping  Unit）別に整列して陳列されている。ＳＫＵ（商品種類特定情報）は、商品Ｓの在庫数や販売数を管理する最小分類単位を意味し、例えば商品Ｓの種類を特定する商品コードである。
【００１９】
商品Ｓの個々には、当該商品Ｓが属するＳＫＵと当該商品Ｓに付されたＩＣタグの個々を特定するユニークコード（ＩＣタグ識別情報）を対応付けて記憶するＩＣタグＳＴが付されている。ユニークコード（ＩＣタグ識別情報）は、当該ＩＣタグが付された商品を個々に特定する。
【００２０】
図２の例では、上段部の棚段Ｔ１の陳列部ＴＣには、ＳＫＵ１の商品ＳとＳＫＵ２の商品ＳとＳＫＵ３の商品Ｓが陳列されている。また、中段部の棚段Ｔ２の陳列部ＴＣには、ＳＫＵ４の商品ＳとＳＫＵ５の商品Ｓが陳列されている。さらに、下段部の棚段Ｔ３の陳列部ＴＣには、ＳＫＵ６の商品ＳとＳＫＵ７の商品ＳとＳＫＵ８の商品Ｓが陳列されている。
【００２１】
図３は、実施形態に係るＲＦＩＤリーダライタ１を側面から見た側面図である。図３において、ＲＦＩＤリーダライタ１は、本体部２と、アンテナ部３と、グリップ部４とトリガースイッチ５とを備えている。アンテナ部３は、本体部２に対し前側に配置され、操作者が操作時に握るグリップ部４はアンテナ部３に対し後ろ側に配置される。アンテナ部３は、最前部に平面部３９を有する。また、アンテナ部３は、内部に略四角形の平面形状に形成されたアンテナ３３を内蔵する。アンテナ３３は、平面部３９と略並行に設けられている。
【００２２】
トリガースイッチ５はグリップ部４に組み込まれている。トリガースイッチ５は、アンテナ部３から電波を放射／停止するためのスイッチである。操作者が、グリップ部４を握りながらトリガースイッチ５を操作すると、ＲＦＩＤリーダライタ１は、アンテナ部３から電波を放射する。操作者がトリガースイッチ５の操作を解除すると、ＲＦＩＤリーダライタ１は、アンテナ部３からの電波の放射を停止する。また、ＲＦＩＤリーダライタ１は、上部に各種操作を行う操作部２２および各種表示を行う表示部２１を備えている。
【００２３】
次に、図４を用いてＲＦＩＤリーダライタ１の回路構成について説明する。本体部２に主制御用の制御部３０が搭載される。制御部３０は、制御主体となるＣＰＵ（Central  Processing  Unit）３６、主にプログラムを記憶するＲＯＭ(Read  Only  Memory)３７、各種データ等を一時的に記憶するＲＡＭ（Random  Access  Memory）３８等によって構成される。
【００２４】
制御部３０は、ＣＰＵ３６がＲＯＭ３７やメモリ３１に記憶されＲＡＭ３８に展開された制御プログラムに従って動作することによって、後述する制御処理を実行する。この制御部３０に、上記表示部２１および操作部２２、さらにＨＤＤ（Hard  Disc  Drive）等の不揮発性のメモリ３１、無線部３２、通信Ｉ／Ｆ３５が接続されている。また、制御部３０には、トリガースイッチ５の出力（アナログ値）をＡ／Ｄ変換するＡ／Ｄコンバータ３４も接続されている。制御部３０は、トリガースイッチ５からオンの信号が入力されると、アンテナ３３に、ＩＣタグＳＴが応答し、ＩＣタグＳＴに記憶された情報をアンテナ３３で受信して収集するための電波を放射させる。なお、図示しないが、ＲＦＩＤリーダライタ１は、各回路を駆動するための電池を内蔵している。
【００２５】
メモリ３１は、ハードディスクやフラッシュメモリ等の不揮発性メモリで構成され、制御プログラムおよび入力データを記憶する。また、メモリ３１は、後述する指定フラグを記憶する。指定フラグが「０」である場合は、制御部３０は、通常の出力レベルで電波を放射する。また、指定フラグが「１」である場合は、制御部３０は、通常の出力レベルより大出力の大出力レベルで電波を放射する。無線部３２は、Ｄ／Ａコンバータ３２ａ、放射回路３２ｂ、受信回路３２ｃ、Ａ／Ｄコンバータ３２ｄ、送受信切替器３２ｅを備えている。Ｄ／Ａコンバータ３２ａは、制御部３０からの放射用データおよび制御用データをそれぞれ別系統でＤ／Ａ変換し放射回路３２ｂに供給する。
【００２６】
放射回路３２ｂは、入力された放射用信号に対し所定の変調および出力パワーの調整を行い、変調された信号を、放射と受信を切り替える送受信切替器３２ｅを介してアンテナ３３に出力する。一方、アンテナ３３で受信されたＩＣタグＳＴからの応答信号（応答電波）は、送受信切替器３２ｅを介して受信回路３２ｃに供給される。そして、受信回路３２ｃは応答信号を復号し、復号された応答信号はＡ／Ｄコンバータ３２ｄがＡ／Ｄ変換して制御部３０に渡す。
【００２７】
通信Ｉ／Ｆ３５は、無線通信を使用してストアサーバ１０に情報を送信し、またストアサーバ１０から情報を受信する。
【００２８】
次に、図５を用いて、ＩＣタグＳＴについて説明する。ＩＣタグＳＴは、アンテナ４１、送受信部４２、制御部４３、起電力部４４、メモリ４５を備えている。アンテナ４１は、ＲＦＩＤリーダライタ１のアンテナ３３から放射された電波を受信する。送受信部４２は、アンテナ４１での電波の送受信を制御する。起電力部４４は、アンテナ４１がＲＦＩＤリーダライタ１から受信した電波に基づいて、ＩＣタグＳＴを起動して情報をＲＦＩＤリーダライタ１に送信する等の制御をするための電力を発生する。メモリ４５は、ＩＣタグＳＴが付された商品Ｓの商品情報や、当該ＩＣタグＳＴを特定するＩＣタグ情報等を記憶する。
【００２９】
図６は、メモリ４５に記憶されているＩＣタグ情報４６を示す。図６において、ＩＣタグ情報４６は、ＳＫＵ部４６１とユニークコード部４６２とを有する。ＳＫＵ部４６１は、当該ＩＣタグＳＴが付された商品Ｓの種類を特定するＳＫＵが記憶されている。個々の商品が異なっても、同一の種類の商品であれば、ＩＣタグＳＴのＳＫＵ部４６１には同一のＳＫＵが記憶されている。ユニークコード部４６２は、当該ＩＣタグＳＴが付された商品Ｓ一つ一つを個々に特定するユニークコードが記憶されている。ユニークコードは、例えば同じ種類の商品であっても商品個々で異なって付される。
【００３０】
図７は、ストアサーバ１０のハードウェア構成を示すブロック図である。図７において、ストアサーバ１０は、制御主体となるＣＰＵ１１、各種プログラムを記憶するＲＯＭ１２、各種データを展開するＲＡＭ１３、各種プログラムを記憶するメモリ部１４等を備えている。ＣＰＵ１１、ＲＯＭ１２、ＲＡＭ１３、メモリ部１４は、互いにデータバス１５を介して接続されている。ＣＰＵ１１とＲＯＭ１２とＲＡＭ１３が、制御部１００を構成する。すなわち、制御部１００は、ＣＰＵ１１がＲＯＭ１２やメモリ部１４に記憶されＲＡＭ１３に展開された制御プログラム１４１に従って動作することによって、後述する制御処理を実行する。
【００３１】
メモリ部１４は、電源を切っても記憶情報が保持されるＨＤＤやフラッシュメモリ等の不揮発性メモリで構成され、制御プログラム１４１を含むプログラム等を記憶する。また、メモリ部１４は、図８で後述する棚マスタ１４２を記憶している。
【００３２】
データバス１５には、操作部１７、表示部１８が、コントローラ１６を介して接続されている。また、データバス１５は、無線の通信回線５０と電気的に接続する通信Ｉ／Ｆ１９を接続している。
【００３３】
次に、図８を用いて、メモリ部１４に記憶されている棚マスタ１４２について説明する。棚マスタ１４２は、棚段コードに対応して、各棚段に現在陳列されている商品Ｓの種類と個々の商品Ｓの情報を棚段毎に記憶する。棚マスタ１４２は、棚段部１４２１、ＳＫＵ部１４２２、ユニークコード部１４２３を有している。
【００３４】
棚段部１４２１は、店舗Ｐに設置された棚Ｔが有する各棚段を特定する棚段コードが記憶された棚段タグＴＴ（実施形態では棚段Ｔ１に対応する棚段タグＴＴ１、棚段Ｔ２に対応する棚段タグＴＴ２、棚段Ｔ３に対応する棚段タグＴＴ３）を記憶する。ＳＫＵ部１４２２は、各棚段に陳列されている商品ＳのＳＫＵを、該当する棚段の棚段コードに対応して記憶する。ユニークコード部１４２３は、各棚段に陳列されている商品Ｓのユニークコードを、当該商品Ｓが属するＳＫＵに対応して記憶する。
【００３５】
実施形態では、棚段タグＴＴ１に記憶された棚段コードに対応して、ＳＫＵ部１４２２は、ＳＫＵ１とＳＫＵ２とＳＫＵ３を記憶している。これは、棚段Ｔ１には、ＳＫＵ１の商品と、ＳＫＵ２の商品と、ＳＫＵ３の商品が現在陳列されていることを示す。
【００３６】
同様に、棚段タグＴＴ２に記憶された棚段コードに対応して、ＳＫＵ部１４２２は、ＳＫＵ４とＳＫＵ５を記憶している。棚段タグＴＴ３に記憶された棚段コードに対応して、ＳＫＵ部１４２２は、ＳＫＵ６とＳＫＵ７とＳＫＵ８を記憶している。
【００３７】
また、実施形態では、ＳＫＵ１に対応して、ユニークコード「０００１」「０００２」「０００３」「０００４」を記憶している。これは、ＳＫＵ１として現在陳列されている商品Ｓが「０００１」「０００２」「０００３」「０００４」であることを示す。また、ＳＫＵ２に対応して、ユニークコード「０００５」「０００６」を記憶している。これは、ＳＫＵ２として現在陳列されている商品Ｓが「０００５」「０００６」であることを示す。また、ＳＫＵ３に対応して、ユニークコード「０００７」「０００８」「０００９」「０００９」を記憶している。これは、ＳＫＵ３として現在陳列されている商品Ｓが「０００７」「０００８」「０００９」であることを示す。ＳＫＵ４〜ＳＫＵ８についても同様である。
【００３８】
なお、商品ＳがＰＯＳ端末によって販売されると、当該商品Ｓのユニークコードは棚マスタ１４２から消去される。また新たに商品Ｓが棚段に補充されると、補充された商品Ｓのユニークコードは、ストアサーバ１０から入力されて、棚マスタ１４２に新たに記憶される。また、商品Ｓが販売されたため該当するＳＫＵの商品Ｓが「０」になった場合は、当該ＳＫＵは棚マスタ１４２から消去される。一方、補充した商品Ｓが新たなＳＫＵである場合は、当該ＳＫＵを棚マスタ１４２に追加記憶する。
【００３９】
実施形態では、店舗Ｐに設置されたある一つの棚Ｔについて、棚マスタ１４２を用いて棚段部１４２１、ＳＫＵ部１４２２、ユニークコード部１４２３を説明したが、店舗Ｐに設置されている他の棚Ｔについてもすべて同様の棚マスタを備えている。
【００４０】
続いて、図９〜図１３を用いて、ＲＦＩＤリーダライタ１の制御処理について説明する。図９は、ＲＦＩＤリーダライタ１の機能構成を示す機能ブロック図である。制御部３０が、ＲＯＭ３７やメモリ３１に記憶された制御プログラムを含む各種プログラムに従うことで、第１放射手段３０１、第１記憶手段３０２、第１受信手段３０３、第１放射終了手段３０４、第２放射手段３０５、第２記憶手段３０６、第２受信手段３０７、第２放射終了手段３０８、第３放射手段３０９、第３記憶手段３１０、第３受信手段３１１、第３放射終了手段３１２として機能する。
【００４１】
第１放射手段３０１は、商品に付され商品の種類を特定する商品種類特定情報（ＳＫＵ）を記憶したＩＣタグに向けて電波を放射する機能を有する。
【００４２】
第１記憶手段３０２は、少なくとも管理対象となる商品種類特定情報（ＳＫＵ）を記憶する機能を有する。
【００４３】
第１受信手段３０３は、放射された電波に応答し前記ＩＣタグから送信された商品種類特定情報（ＳＫＵ）を受信する機能を有する。
【００４４】
第１放射終了手段３０４は、受信手段が、記憶した管理対象となるすべての商品種類特定情報（ＳＫＵ）を受信した場合に、電波の放射を終了させる機能を有する。
【００４５】
第２放射手段３０５は、商品に付されたＩＣタグであって、ＩＣタグを個々に識別するＩＣタグ識別情報（ユニークコード）を記憶したＩＣタグに向けて電波を放射する機能を有する。
【００４６】
第２記憶手段３０６は、少なくとも管理対象となるＩＣタグ識別情報（ユニークコード）を記憶する機能を有する。
【００４７】
第２受信手段３０７は、放射された電波に応答し前記ＩＣタグから送信されたＩＣタグ識別情報（ユニークコード）を受信する機能を有する。
【００４８】
第２放射終了手段３０８は、受信手段が、記憶した管理対象となるＩＣタグ識別情報（ユニークコード）のうち所定割合のＩＣタグ識別情報（ユニークコード）を受信した場合に、電波の放射を終了させる機能を有する。
【００４９】
第３放射手段３０９は、商品に付されたＩＣタグであって、商品の種類を特定する商品種類特定情報（ＳＫＵ）とＩＣタグを個々に識別するＩＣタグ識別情報（ユニークコード）とを記憶した前記ＩＣタグに向けて電波を放射する機能を有する。
【００５０】
第３記憶手段３１０は、少なくとも管理対象となる商品種類特定情報（ＳＫＵ）と、当該商品種類特定情報（ＳＫＵ）に属する前記ＩＣタグ識別情報（ユニークコード）とを対応付けて記憶する機能を有する。
【００５１】
第３受信手段３１１は、放射された電波に応答しＩＣタグから送信された商品種類特定情報（ＳＫＵ）とＩＣタグ識別情報（ユニークコード）とを受信する機能を有する。
【００５２】
第３放射終了手段３１２は、受信手段が、記憶した管理対象となるすべての商品種類特定情報（ＳＫＵ）を受信しかつ当該商品種類特定情報（ＳＫＵ）に対応付けて記憶したＩＣタグ識別情報（ユニークコード）のうち所定割合のＩＣタグ識別情報（ユニークコード）を受信した場合に、電波の放射を終了させる機能を有する。
【００５３】
図１０〜図１３は、ＲＦＩＤリーダライタ１の制御処理の流れを示すフローチャートである。図１０において、制御部３０は、操作者がグリップ部４を握ることでトリガースイッチ５が操作オンされたか否かを判断する（ステップＳ１１）。オン操作されたと判断した場合は（ステップＳ１１のＹｅｓ）、制御部３０は、メモリ３１に記憶された指定フラグが「１」であるか否かを判断する（ステップＳ１２）。
【００５４】
指定フラグが「１」ではない（すなわち指定フラグが「０」である）場合は（ステップＳ１２のＮｏ）、制御部３０は、通常の出力レベルで、陳列された商品Ｓに付されたＩＣタグＳＴに向けて電波を放射してＩＣタグＳＴから応答電波を受信する処理（図１１と図１２を用いて後述する）を実行する（ステップＳ１３）。また、指定フラグが「１」である場合は（ステップＳ１２のＹｅｓ）、制御部３０は、通常出力より大きい大出力で、陳列された商品Ｓに付されたＩＣタグＳＴに向けて電波を放射してＩＣタグＳＴから応答電波を受信する処理（図１３を用いて後述する）を実行する（ステップＳ１４）。そして制御部３０は、処理を終了する。
【００５５】
また、トリガースイッチ５がオン操作されていないと判断した場合は（ステップＳ１１のＮｏ）、制御部３０（特定種類商品指定手段）は、操作部２２から特定のＳＫＵが入力されたか否かを判断する（ステップＳ１５）。特定のＳＫＵが入力されたと判断した場合は（ステップＳ１５のＹｅｓ）、制御部３０は、メモリ３１に記憶されている指定フラグを「１」にセットする（ステップＳ１６）。そして制御部３０は、ステップＳ１１に戻る。また、特定のＳＫＵが入力されていないと判断した場合は（ステップＳ１５のＮｏ）、制御部３０は、ステップＳ１１に戻る。
【００５６】
次に、図１１を用いて、ステップＳ１３の処理を詳細に説明する。図１１において、制御部３０（第１放射手段３０１、第２放射手段３０５、第３放射手段３０９）は、通常レベルの出力で、商品Ｓに付されたＩＣタグＳＴに向けて電波を放射する（ステップＳ２１）。具体的には、指定フラグが「０」である場合は、制御部３０からの指令に基づき、放射回路３２ｂが通常の出力レベルの電波を生成し、アンテナ３３から電波を放射する。この状態で、操作者が、ＲＦＩＤリーダライタ１をいずれかの棚段タグＴＴに近づけると、近づけた棚段ＴＴから棚段コードを受信する。制御部３０は、棚段コードを受信したか否かを判断する（ステップＳ２２）。受信したと判断した場合は（ステップＳ２２のＹｅｓ）、制御部３０は、受信した棚段コードに基づいて、ストアサーバ１０に対して受信した棚段コードを通信Ｉ／Ｆ３５を介して送信し、受信した棚段コードに対応するＳＫＵとユニークコードを問合せる（ステップＳ２３）。
【００５７】
そして制御部３０は、問合せに対するＳＫＵとユニークコードを通信Ｉ／Ｆ３５を介して受信したか否かを判断する（ステップＳ２４）。受信するまで待機し（ステップＳ２４のＮｏ）、受信したと判断した場合は(ステップＳ２４のＹｅｓ)、制御部３０（第１記憶手段３０２、第２記憶手段３０６、第３記憶手段３１０）は、受信したＳＫＵとユニークコードをメモリ３１に記憶する（ステップＳ２５）。ＲＦＩＤリーダライタ１の操作者は、ステップＳ２５で記憶したＳＫＵとユニークコードに基づいてロケーション管理を実行する。そして制御部３０は、ステップＳ２２に戻る。
【００５８】
また、ステップＳ２２において、棚段コードを受信していないと判断した場合は（ステップＳ２２のＮｏ）、制御部３０（第１受信手段３０３、第２受信手段３０７、第３受信手段３１１）は、ステップＳ２１で、商品Ｓに付されたＩＣタグＳＴに向けて放射した電波に対して、ＩＣタグＳＴから応答電波を受信したか否かを判断する（ステップＳ３１）。応答電波を受信したと判断した場合は（ステップＳ３１のＹｅｓ）、制御部３０は、応答電波に含まれるＩＣタグ情報（すなわち、当該ＩＣタグＳＴが記憶しているＳＫＵやユニークコード等）に基づいてＩＣタグ情報受信処理を実行する（ステップＳ３２）。そして制御部３０は、処理を終了する。また、ＩＣタグＳＴから応答電波を受信していないと判断した場合は（ステップＳ３１のＮｏ）、制御部３０は、ステップＳ２２に戻る。
【００５９】
次に、図１２を用いて、ステップＳ３２で実行されるＩＣタグ情報受信処理を詳細に説明する。図１２において、制御部３０は、ステップＳ３１で受信したＩＣタグ情報をＲＡＭ３８に記憶する（ステップＳ４１）。次に制御部３０は、ステップＳ２５で記憶したＳＫＵとユニークコードとステップＳ４１で記憶したＩＣタグ情報に基づいて、ＲＦＩＤリーダライタ１でのＩＣタグＳＴの読取状況を調査する（ステップＳ４２）。詳細には、制御部３０は、まず第１に、ステップＳ２５で記憶したＳＫＵとステップＳ３１で受信したＩＣタグ情報に含まれるＳＫＵとを比較して、ステップＳ２５で記憶したすべてのＳＫＵについてステップＳ３１で記憶したか否かを調査する。第２に、ステップＳ２５で記憶したユニークコードとステップＳ４１で受信したＩＣタグ情報に含まれるユニークコードとを比較して、ＳＫＵ毎に、ＳＫＵに属しているステップＳ２５で記憶されたユニークコードのうちステップＳ４１で記憶したユニークコードの割合（読取率）を算出する。
【００６０】
次に制御部３０は、ステップＳ４１で記憶したＳＫＵと、ステップＳ４２で算出したＳＫＵ毎のユニークコードの読取率を表示部２１に表示する（ステップＳ４３）。そして制御部３０は、ステップＳ４２の調査結果として、すべてのＳＫＵを受信したか否かを判断する（ステップＳ４４）。制御部３０は、ＲＦＩＤリーダライタ１がすべてのＳＫＵを受信するまで電波の放射を継続する。
【００６１】
すべてのＳＫＵを受信したと判断した場合は（ステップＳ４４のＹｅｓ）、制御部３０は、すべてのＳＫＵについて、ユニークコードの読取率が９０％以上であるか否かを判断する（ステップＳ４５）。すべてのＳＫＵについて、ユニークコードの読取率が９０％以上でないと判断した場合は（ステップＳ４５のＮｏ）、制御部３０は、ステップＳ３１に戻り、ＩＣタグ情報の受信を継続する。なお、すべてのＳＫＵについて、ユニークコードの読取率が９０％以上であるかどうかの判断に代えて、棚Ｔ（あるいは特定の棚段）に陳列されているすべての商品に付されているＩＣタグＳＴのユニークコードの読取率が９０％以上であるかどうかの判断でもよい。
【００６２】
また、すべてのＳＫＵについて、ユニークコードの読取率が９０％以上であると判断した場合は（ステップＳ４５のＹｅｓ）、タイマーをオンする（ステップＳ４６）。そして制御部３０は、予め定められた所定時間を経過したか否かを判断する（ステップＳ４７）。所定時間経過していないと判断した場合は（ステップＳ４７のＮｏ）、制御部３０は、ＩＣタグＳＴから応答電波を受信したか否かを判断する（ステップＳ５２）。応答電波を受信したと判断した場合は（ステップＳ５２のＹｅｓ）、制御部３０は、応答電波に含まれるＩＣタグ情報（当該ＩＣタグＳＴが記憶しているＳＫＵやユニークコード等）をＲＡＭ３８に記憶する（ステップＳ５３）。ＩＣタグＳＴから応答電波を受信していないと判断した場合は（ステップＳ５２のＮｏ）、制御部３０は、ステップＳ４７に戻る。
【００６３】
一方、ステップＳ４７において、予め定められた所定時間を経過したと判断した場合は（ステップＳ４７のＹｅｓ）、制御部３０は、タイマーをオフする（ステップＳ４８）。そして制御部３０（第１放射終了手段３０４、第２放射終了手段３０８、第３放射終了手段３１２）は、ＲＦＩＤリーダライタ１からの電波の放射を停止し、ＩＣタグ情報の読取りを終了する（ステップＳ４９）。
【００６４】
次に制御部３０は、メモリ３１に記憶されている指定フラグが「１」であるか否かを判断する（ステップＳ５０）。指定フラグが「１」であると判断した場合は（ステップＳ５０のＹｅｓ）、制御部３０は指定フラグを「０」にセットする（ステップＳ５１）。そして制御部３０は処理を終了する。また、指定フラグが「１」ではない（すなわち「０」）と判断した場合は（ステップＳ５０のＮｏ）、制御部３０はそのまま処理を終了する。
【００６５】
また、ステップＳ４４において、すべてのＳＫＵを受信していないと判断した場合は（ステップＳ４４のＮｏ）、制御部３０は、ステップＳ３１で受信したＳＫＵのうち、ノイズが１０％以上あるか否かを判断する（ステップＳ５４）。ここでノイズとは、ステップＳ２５で記憶したＳＫＵ以外のＳＫＵをいう。
【００６６】
ノイズが受信したＳＫＵのうちの１０％以上ではないと判断した場合は（ステップＳ５４のＮｏ）、制御部３０は、ステップＳ３１に戻ってＩＣタグ情報を受信する。また、ノイズが受信したＳＫＵのうちの１０％以上であると判断した場合は（ステップＳ５４のＹｅｓ）、制御部３０は、ステップＳ４９以降の処理を実行し、ＲＦＩＤリーダライタ１からの電波の放射を停止する。
【００６７】
例えば、ＲＦＩＤリーダライタ１から放射される電波の出力が異常に高い場合は、ＲＦＩＤリーダライタ１は、ＲＦＩＤリーダライタ１が狙った棚Ｔ以外の棚Ｔに陳列されている商品ＳのＩＣタグＳＴ、または、ＲＦＩＤリーダライタ１が狙った棚段以外の棚段に陳列されている商品ＳのＩＣタグＳＴにも電波が充分届き、これらのＩＣタグＳＴからＩＣタグ情報（ノイズ）を受信することがある。このノイズが多いと、ロケーション管理に悪影響がでる。そのため、ノイズが受信したＳＫＵの１０％以上となる場合は、ＲＦＩＤリーダライタ１からの電波の放射出力を低くする等の対策をして、再度ロケーション管理を実行する。電波の出力が異常に高い場合以外にも、電波の回り込み等でノイズが１０％以上となった場合は、同様にＲＦＩＤリーダライタ１からの電波の放射を停止する。
【００６８】
このように、実施形態では、指定された棚Ｔに陳列された商品ＳのすべてのＳＫＵを受信した場合に、制御部３０は、ＲＦＩＤリーダライタ１からの電波の放射を停止して読取操作を終了する。そのため、ＲＦＩＤリーダライタ１の操作者が、必要以上の時間ＲＦＩＤリーダライタ１によるＩＣタグＳＴの読取操作を実施することがなくなる。
【００６９】
また、実施形態では、指定された棚Ｔに陳列された商品Ｓのユニークコードと読取率が所定割合（例えば９０％）以上となった場合に、制御部３０は、ＲＦＩＤリーダライタ１からの電波の放射を停止して読取操作を終了する。そのため、ＲＦＩＤリーダライタ１の操作者が、必要以上の時間ＲＦＩＤリーダライタ１によるＩＣタグＳＴの読取操作を実施することがなくなる。
【００７０】
また、実施形態では、指定された棚Ｔに陳列された商品ＳのすべてのＳＫＵを受信し、かつユニークコードと読取率が所定割合（例えば９０％）以上となった場合に、制御部３０は、ＲＦＩＤリーダライタ１からの電波の放射を停止して読取操作を終了する。そのため、ＲＦＩＤリーダライタ１の操作者が、ＲＦＩＤリーダライタ１による応答電波の受信が所定割合に達したか否かの判断をしなくてもよく、必要以上の時間ＲＦＩＤリーダライタ１によるＩＣタグＳＴの読取操作を実施することがなくなる。
【００７１】
また、実施形態では、指定された棚Ｔに陳列された商品ＳのすべてのＳＫＵを受信し、かつすべてのＳＫＵにおけるユニークコードと読取率が所定割合（例えば９０％）以上となった場合に、制御部３０は、ＲＦＩＤリーダライタ１からの電波の放射を停止して読取操作を終了する。そのため、ＲＦＩＤリーダライタ１の操作者が、ＲＦＩＤリーダライタ１による応答電波の受信が所定割合に達したか否かの判断をしなくてもよく、必要以上の時間ＲＦＩＤリーダライタ１によるＩＣタグＳＴの読取操作を実施することがなくなる。
【００７２】
また、実施形態によれば、指定された棚Ｔに陳列された商品ＳのすべてのＳＫＵを受信し、かつすべてのＳＫＵにおけるユニークコードと読取率が所定割合（例えば９０％）以上となってから、制御部３０は、所定時間経過後にＲＦＩＤリーダライタ１からの電波の放射を停止して読取操作を終了する。そのため、ＲＦＩＤリーダライタ１による読取率をさらに向上させることができるとともに、必要以上の時間ＲＦＩＤリーダライタ１によるＩＣタグＳＴの読取操作を実施することがなくなる。
【００７３】
また、実施形態では、受信したＳＫＵに所定割合以上のノイズが含まれる場合は、ＲＦＩＤリーダライタ１からの電波の放射を停止し、ＲＦＩＤリーダライタ１による読取りを終了するため、ノイズが多い状態でＲＦＩＤリーダライタ１によるＩＣタグＳＴの読取操作を継続することがなくなる。
【００７４】
次に、図１３を用いて、ステップＳ１４で実行される大出力での放射受信処理について説明する。図１３の処理は、例えば、棚Ｔに陳列されている、特定のＳＫＵの商品Ｓの数が目視等で数えることができる場合等に、すべての当該ＳＫＵの商品Ｓに付されたＩＣタグＳＴから応答を得たい場合に実行する。そのため、ＲＦＩＤリーダライタ１から放射される電波の出力を大きくし、ＩＣタグＳＴが受信し易くする。
【００７５】
図１３において、制御部３０は、通常出力より大きな大出力で電波を放射する（ステップＳ６１）。具体的には、制御部３０は、大出力の電波放射を放射回路３２ｂに指令する。すると、放射回路３２ｂは、大出力の電波をアンテナ３３から放射する。この場合、制御部３０は、特定のＳＫＵを指定した情報を含む電波を放射する。すると、電波を受信したＩＣタグＳＴのうち、メモリ４５に記憶しているＩＣタグ情報４６のＳＫＵ部４６１に、指定されたＳＫＵが記憶されているＩＣタグＳＴのみが応答電波を出力する。指定されていないＳＫＵが記憶されているＩＣタグＳＴは応答電波を出力しない。
【００７６】
次に制御部３０は、ステップＳ１５において入力されることで指定されたＳＫＵについて、当該ＳＫＵに属するユニークコードを受信したか否かを判断する（ステップＳ６２）。受信したと判断した場合は（ステップＳ６２のＹｅｓ）、制御部３０は、受信したユニークコードをＲＡＭ３８に記憶する（ステップＳ６３）。そして制御部３０は、ステップＳ２５で記憶したＳＫＵのうち、ステップＳ１５で指定されたＳＫＵに属するすべてのユニークコードを受信したか否かを調査する（ステップＳ６４）。調査した結果に基づいて、制御部３０は、指定されたＳＫＵに属するすべてのユニークコードを受信したか否かを判断する（ステップＳ６５）。指定されたＳＫＵに属するすべてのユニークコードを受信していないと判断した場合は（ステップＳ６５のＮｏ）、制御部３０は、ステップＳ６２に戻って更なるユニークコードを受信する。一方、指定されたＳＫＵに属するすべてのユニークコードを受信したと判断した場合は（ステップＳ６５のＹｅｓ）、制御部３０は、ステップＳ４６以降を実行する。
【００７７】
また、指定されたＳＫＵを受信していないと判断した場合は(ステップＳ６２のＮｏ)、制御部３０は、指定されたＳＫＵ以外のＳＫＵを受信したか否かを判断する（ステップＳ６６）。ＩＣタグＳＴによる誤動作等のため、指定されていないＳＫＵのＩＣタグＳＴからＩＣタグ情報を受信することがある。指定されたＳＫＵ以外のＳＫＵを受信したと判断した場合は（ステップＳ６６のＹｅｓ）、当該指定されたＳＫＵ以外のＳＫＵを読み捨てる（ステップＳ６７）。そして制御部３０は、ステップＳ６２に戻る。また、指定されたＳＫＵ以外のＳＫＵを受信していないと判断した場合は（ステップＳ６６のＮｏ）、制御部３０はステップＳ６２に戻る。
【００７８】
このように、実施形態では、指定されたＳＫＵについて、ＲＦＩＤリーダライタ１から放射される電波の出力を大きくして、当該ＳＫＵに属するすべてのユニークコードを受信することができる。
【００７９】
次に、ストアサーバ１０の制御処理について、図１４のフローチャートを用いて説明する。図１４において、制御部１００は、ステップＳ２３によるＳＫＵとユニークコードの問合せがあったか否かを判断する（ステップＳ７１）。問合せがあったと判断した場合は（ステップＳ７１のＹｅｓ）、制御部１００は、棚マスタ１４２から、受信した棚コードに対応したＳＫＵとユニークコードを読み出して、問合せがあったＲＦＩＤリーダライタ１に送信する（ステップＳ７２）。
【００８０】
また、ステップＳ２３によるＳＫＵとユニークコードの問合せではないと判断した場合は（ステップＳ７１のＮｏ）、制御部１００は、棚Ｔに陳列されている商品Ｓが販売されたため、ＰＯＳ端末から商品販売情報を受信したか否かを判断する（ステップＳ７３）。商品販売情報を受信したと判断した場合は(ステップＳ７３のＹｅｓ)、制御部１００は、当該商品販売情報に基づいて、販売された商品Ｓのユニークコードを棚マスタ１４２から削除する（ステップＳ７４）。そして制御部１００は、ステップＳ７１に戻る。この場合、ユニークコードを削除した結果、当該ユニークコードが属するＳＫＵに対応するユニークコードが「０」になった場合は、該当するＳＫＵも棚マスタ１４２から削除する。
【００８１】
また、商品販売に伴う商品販売情報を受信していないと判断した場合は（ステップＳ７３のＮｏ）、棚Ｔに補充された商品ＳについてのＩＣタグ情報が入力されたか否かを判断する（ステップＳ７５）。ＩＣタグ情報が入力された場合（ステップＳ７５のＹｅｓ）、制御部１００は、当該入力されたＩＣタグ情報に基づいて、棚マスタ１４２に該当するＳＫＵに対応付けてユニークコードを追加する（ステップＳ７６）。この場合、追加するユニークコードが属するＳＫＵが存在しない場合は、当該ＳＫＵも棚マスタ１４２に追加する。また、棚Ｔに補充された商品ＳについてのＩＣタグ情報が入力されていないと判断した場合は（ステップＳ７５のＮｏ）、制御部１００は、ステップＳ７１に戻る。
【００８２】
このようにすることで、商品Ｓが販売された場合、また商品Ｓが棚Ｔに追加された場合、棚マスタ１４２は、リアルタイムで最新の状態に更新される。
【００８３】
以上、本発明の実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更、組み合わせを行うことができる。これらの実施形態やその変形は、発明の範囲や要旨に含まれるとともに、特許請求の範囲に記載された発明とその均等の範囲に含まれる。
【００８４】
例えば、実施形態では、指定された棚Ｔに陳列された商品ＳのすべてのＳＫＵを受信したこと、およびすべてのＳＫＵにおけるユニークコードの読取率が所定割合（例えば９０％）以上となったことを条件として、ＲＦＩＤリーダライタ１からの電波の放射を停止して読取操作を終了するようにしたが、指定された棚Ｔに陳列された商品ＳのすべてのＳＫＵを受信したことのみを条件として、ＲＦＩＤリーダライタ１からの電波の放射を停止して読取操作を終了するようにしてもよい。
【００８５】
また、実施形態では、指定された棚Ｔに陳列された商品ＳのすべてのＳＫＵを受信したこと、およびすべてのＳＫＵにおけるユニークコードと読取率が所定割合（例えば９０％）以上となったことを条件として、ＲＦＩＤリーダライタ１からの電波の放射を停止して読取操作を終了するようにしたが、棚に陳列されている商品にふされたＩＣタグのユニークコードの読取率が所定割合（例えば９０％）以上となったことを条件として、ＲＦＩＤリーダライタ１からの電波の放射を停止して読取操作を終了するようにしてもよい。
【００８６】
また、実施形態では、指定された棚Ｔに陳列された商品ＳのすべてのＳＫＵを受信したこと、およびすべてのＳＫＵにおけるユニークコードの読取率が所定割合（例えば９０％）以上となったことを条件として、ＲＦＩＤリーダライタ１からの電波の放射を停止して読取操作を終了するようにしたが、指定された棚Ｔに陳列された商品ＳのすべてのＳＫＵを受信したこと、および棚に陳列された商品に付されたＩＣタグのユニークコードの読取率が所定割合（例えば９０％）以上となったことを条件として、ＲＦＩＤリーダライタ１からの電波の放射を停止して読取操作を終了するようにしてもよい。
【００８７】
また、実施形態では、ストアサーバ１０が、メモリ部１４に記憶した棚マスタ１４２から、ＲＦＩＤリーダライタ１が読み取った棚段に対応付けて記憶しているＳＫＵとユニークコードとをＲＦＩＤリーダライタ１に送信し、ＲＦＩＤリーダライタ１は、受信したＳＫＵとユニークコードを記憶するようにしたが、ＲＦＩＤリーダライタ１が棚マスタ１４２に相当する棚マスタを最初から記憶するようにしてもよい。
【００８８】
また、実施形態では、ＲＦＩＤリーダライタ１で棚Ｔに設けられた棚段の棚段コードを読み取り、読み取った棚段コードに対応するＳＫＵとユニークコードを受信するようにしたが、棚Ｔを特定する棚コードに対応してＳＫＵとユニークコードを記憶し、棚コードを読み取り、読み取った棚コードに対応するＳＫＵとユニークコードを受信するようにしてもよい。
【００８９】
また、実施形態では、棚Ｔのうち特定の棚段の棚段コードをＲＦＩＤリーダライタ１で読み取り、読み取った棚段コードに対応するＳＫＵとユニークコードを管理対象のＳＫＵとユニークコードとしたが、棚段コードの読取りは必ずしも必要ではなく、棚Ｔに陳列されているすべての商品のＳＫＵとユニークコードを管理対象のＳＫＵとユニークコードとしてもよい。
【００９０】
また、実施形態では、一例として商品コードをＳＫＵとして説明したが、ＳＫＵは商品Ｓを管理するために分類する単位の集合体であれば何でもよい。
【００９１】
また、実施形態では、ＩＣタグ読取装置として、ＩＣタグＳＴから情報を読み取り、かつＩＣタグＳＴに対して情報を書き込み可能なＲＦＩＤリーダライタ１を用いたが、ＩＣタグ読取装置は、ＩＣタグＳＴを読み取り専用（ＩＣタグＳＴに対して書き込みはできない）のＲＦＩＤリーダであってもよい。また、ＩＣタグ読取装置は、ＲＦＩＤ以外のＩＣタグを読み取る装置であってもよい。
【００９２】
また、実施形態ではユニークコードの読取率（所定割合）を９０％としたが、もちろんそれ以外の読取率でもよい。ＲＦＩＤリーダライタ１の読取精度やＩＣタグの応答精度が向上すれば、９５％以上の読取率としてもよい。要は、読取率を１００％としなければよい。
【００９３】
なお、実施形態のＲＦＩＤリーダライタ１で実行されるプログラムは、インストール可能な形式または実行可能な形式のファイルでＣＤ−ＲＯＭ、フレキシブルディスク（FD）、ＣＤ−Ｒ、ＤＶＤ（Digital  Versatile  Disk）等のコンピュータで読み取り可能な記録媒体に記録されて提供される。
【００９４】
また、実施形態のＲＦＩＤリーダライタ１で実行されるプログラムを、インターネット等のネットワークに接続されたコンピュータ上に格納し、ネットワーク経由でダウンロードさせることにより提供するように構成しても良い。また、実施形態のＲＦＩＤリーダライタ１で実行されるプログラムをインターネット等のネットワーク経由で提供または配布するように構成しても良い。
【００９５】
また、実施形態のＲＦＩＤリーダライタ１で実行されるプログラムを、ＲＯＭ等に予め組み込んで提供するように構成してもよい。
【符号の説明】
【００９６】
１  ＲＦＩＤリーダライタ
１０  ストアサーバ
３０  制御部
３１  メモリ
１００  制御部
３０１  第１放射手段
３０２  第１記憶手段
３０３  第１受信手段
３０４  第１放射終了手段
３０５  第２放射手段
３０６  第２記憶手段
３０７  第２受信手段
３０８  第２放射終了手段
３０９  第３放射手段
３１０  第３記憶手段
３１１  第３受信手段
３１２  第３放射終了手段
Ｔ  棚
Ｔ１  棚段
Ｔ２  棚段
Ｔ３  棚段
【先行技術文献】
【特許文献】
【００９７】
【特許文献１】特開２０１１−００８６１６号公報
【図１】
2016038875.tif 000003
【図２】
2016038875.tif 000004
【図３】
2016038875.tif 000005
【図４】
2016038875.tif 000006
【図５】
2016038875.tif 000007
【図６】
2016038875.tif 000008
【図７】
2016038875.tif 000009
【図８】
2016038875.tif 000010
【図９】
2016038875.tif 000011
【図１０】
2016038875.tif 000012
【図１１】
2016038875.tif 000013
【図１２】
2016038875.tif 000014
【図１３】
2016038875.tif 000015
【図１４】
2016038875.tif 000016